(57)【要約】【課題】  医療従事者が不用意にカバー体を患者の鼻孔に貼り付けてしまっても、患者がスムーズに呼吸することができるバッグバルブマスクの外付け可能な患者用酸素マスクを提供する。【解決手段】  酸素マスク１０は、患者の鼻を覆い、外側に連通した開孔１１１と、縁部に取り付けられたゴム紐１１２と、を有するカバー体１１と、カバー体１１の開孔１１１に嵌着される接続管１２１を一端に有し、カバー体１１と一体に結合される管体１２と、を有する。管体１２の呼吸管１２２は、バッグバルブマスクを外部接続するのに都合が良いように、患者に使用する際に上方を向くように開設された開口１２２１を有し、Ｌ字状に形成されている。管体１２の外側の中央部分には、管体１２内の内管１２３１に延設された部分がＬ字状に形成された呼気管１２３を有する。【選択図】  図３
0003163082.tif 000002
【実用新案登録請求の範囲】
【請求項１】
バッグバルブマスクの外部接続可能な酸素マスクであって、
前記酸素マスクは、患者の鼻を覆い、外側に連通した開孔と、縁部に取り付けられたゴム紐とを有するカバー体と、
前記カバー体の前記開孔に嵌着された接続管を一端に有し、前記カバー体と一体に結合された管体とを有し、
前記管体の呼吸管は、バッグバルブマスクを接続するのに容易な形態として、患者に使用する際に上方を向くように開設された開口を有し、Ｌ字状に形成され、
前記管体の外側の中央部分には、前記管体内の内管に延設された部分がＬ字状に形成された呼気管を有し、
前記カバー体は、患者がスムーズに呼吸することが可能なように、内側底部に設けられた複数の凸起部材により形成された凹凸溝を有し、
前記管体に前記バッグバルブマスクを接続する際、患者が吸気を行うときは、前記呼吸管の開口端から酸素を吸入し、患者が呼気を行うときは、前記呼吸管の開口端から呼気を行うことを特徴とするバッグバルブマスクの外部接続可能な酸素マスク。
【考案の詳細な説明】
【技術分野】
【０００１】
本考案は、酸素マスク及び該酸素マスクに外部から接続可能なバッグバルブマスクからなる患者用酸素マスクに関するものであり、さらに詳しくは、患者の鼻だけを覆う酸素マスクに関する。
【背景技術】
【０００２】
図１に示すように、従来の酸素マスクは、患者の口Ａ及び鼻Ｂをマスク１００により同時に覆うため、面積が大きく、密着性が好ましくない上、金属片１０１により鼻梁を挟まなければならず、口Ａがマスク１００により覆われるため治療を行うことが困難であった。また、呼吸管１０２が下を向いているため検査を行うことも困難であった。その上、上述の呼吸管１０２上に設けられた２つの吸気口１０３を利用し、患者が呼吸管１０２から酸素を吸入する場合、吸気口１０３から供給される吸入可能な酸素量が少なく不便であった。
【考案の開示】
【考案が解決しようとする課題】
【０００３】
従って、本考案の課題は、医療従事者が不用意にカバー体を患者の鼻孔に貼り付けてしまっても、患者がスムーズに呼吸することができるバッグバルブマスクの外部接続可能な患者用酸素マスクを提供することにある。
【課題を解決するための手段】
【０００４】
そこで、本考案者は、前記の本考案の課題を解決するため鋭意検討を重ねたところ、バッグバルブマスクの接続可能なように構成された患者用酸素マスクにより前記の課題が解決できることを見出し、かかる知見に基いて本考案に想到した。
【０００５】
かくして、バッグバルブマスクの外部接続可能な患者用酸素マスクに関するものであって、前記酸素マスクは、患者の鼻を覆い、外側に連通した開孔と、縁部に取り付けられたゴム紐とを有するカバー体と、前記カバー体の前記開孔に嵌着される接続管を一端に有し、前記カバー体と一体に結合される管体とを有し、前記管体の呼吸管は、バッグバルブマスクを外付けするのに容易な形態として、患者に使用する際に上を向くように開設された開口を有し、Ｌ字状に形成され、前記管体の外側の中央部分には、前記管体内の内管に延設された部分がＬ字状に形成された呼気管を有し、前記カバー体は、患者がスムーズに呼吸することが可能なように、内側底部に設けられた複数の凸柱により形成された凹凸溝を有し、前記管体に前記バッグバルブマスクを外付けする際、患者が吸気を行うときは、前記呼吸管の開口端から酸素を吸入し、患者が呼気を行うときは、前記呼吸管の開口端から呼気を行うことを特徴とする患者用酸素マスクであって、バッグバルブマスクの外部接続可能な患者用酸素マスクが提供される。
【考案の効果】
【０００６】
本考案のバッグバルブマスクの外付け可能な患者用酸素マスクによれば、医療従事者が不用意にカバー体を患者の鼻孔に貼り付けてしまっても、患者は、スムーズに呼吸することができ、また、バッグバルブマスクとの接続により高濃度の酸素の吸入が容易となる。
【図面の簡単な説明】
【０００７】
【図１】従来の酸素マスクを示す側面図である。
【図２】本考案の一実施形態によるバッグバルブマスクの外部接続（外付け）可能な患者用酸素マスクを示す斜視図である。
【図３】本考案の一実施形態によるバッグバルブマスクの外部接続可能な患者用酸素マスクを示す分解斜視図である。
【図４】本考案の一実施形態によるバッグバルブマスクを外部接続した患者用酸素マスクを使用するときの状態を示す模式図である。
【考案を実施するための最良の形態】
【０００８】
以下、本考案の実施形態について図面に基づいて説明する。なお、これらによって本考案が限定されるものではない。
【０００９】
図２〜図４を参照する。図２〜図４に示すように、本考案の一実施形態によるバッグバルブマスクの外付け可能な患者用酸素マスクは、患者に使用する酸素マスク１０を含む。この酸素マスク１０は、カバー体１１及び管体１２を含む。軟質のカバー体１１は、患者の鼻Ｂを覆うために用いる。カバー体１１は、外側に連通した開孔１１１が設けられ、患者の頭部に掛けるのに用いるゴム紐１１２が縁部に取り付けられている。開孔１１１には、管体１２の下端部に設けられた接続管１２１を嵌着させる。
【００１０】
管体１２の呼吸管１２２は、図４に示すように、バッグバルブマスク２０を外付けするのに都合が良いように、使用する際、上を向くように開設された開口１２２１を有し、Ｌ字状に形成されている。酸素の呼気管１２３は、管体１２の外側の中央部分に設けられている。横方向に延伸された呼気管１２３は、管体１２内の内管１２３１に延設された部分がＬ字状に形成されている。本実施形態のバッグバルブマスクの外付け可能な患者用酸素マスクは、管体１２にバッグバルブマスク２０を外付けすると、患者は、管体１２の呼吸管１２２の開口１２２１から吸気及び呼気を行う際、バッグバルブマスク２０自体が吸気及び吸気を行う機能を備えているため、病院にてテストを繰り返して行った結果から、従来の呼吸管より酸素の吸入量が多いことが分かっている。
【００１１】
なお、バッグバルブマスクは、口腔よりマスクにて他動的に換気を行なうための医療機器であり、口、鼻を覆うマスクと一方に弁を備えたバルブと自動膨張するバッグからなるが、本考案によれば、特定の構造の患者用酸素マスクにバッグバルブマスクのバルブ部分とバッグ部分を利用した構成からなるものである。
【００１２】
また、酸素マスク１０のカバー体１１の内側底部には、複数の凸起部材１１３が設けられている。凸起部材１１３には、患者の鼻Ｂ孔の端部に医療従事者が不用意にカバー体１１を貼り付けてしまい、患者の呼吸が困難となることを防ぐために、凹凸溝が設けられている。
【００１３】
図４に示すように、患者が横たわるとき、酸素マスク１０により、患者の口Ａを覆わずに患者の鼻Ｂだけを覆う。管体１２のＬ字状の呼吸管１２２は、使用する際、開口１２２１が上を向くため、医療従事者がバッグバルブマスク２０の前端部に設けられた接続管２１を容易に接続させることができる。
【００１４】
上述したことから分かるように、本考案のバッグバルブマスクの外付け可能な患者用酸素マスクによれば、口を覆わずに鼻だけを覆うマスクが、管体の呼吸管の開口が上を向いてＬ字状であるため、バッグバルブマスクを外付けするのに便利である。また、患者は、呼吸管の開口端から吸気及び呼気を行うことができるため、吸入できる酸素量が多い。酸素マスクのカバー体の内側底部には、医療従事者が不用意にカバー体を患者の鼻孔に貼付けてしまっても、患者がスムーズに呼吸することができるように、数個の凸起部材が設けられている。
【００１５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１６】
１０  酸素マスク
１１  カバー体
１２  管体
２０  バッグバルブマスク
２１  接続管
１００  マスク
１０１  金属片
１０２  呼吸管
１０３  吸気口
１１１  開孔
１１２  ゴム紐
１１３  凸起部材
１２１  接続管
１２２  呼吸管
１２３  呼気管
１２２１  開口
１２３１  内管
Ａ  口
Ｂ  鼻
【図１】
0003163082.tif 000003
【図２】
0003163082.tif 000004
【図３】
0003163082.tif 000005
【図４】
0003163082.tif 000006